(57)【要約】      （修正有）【課題】収納部に物品を収納するだけではなく、収納された物品の位置を固定することが可能なエプロンを提供する。【解決手段】首掛け紐部２を上方の端部に設けたエプロン本体部５の上部５ａと、その上部５ａに連続し、両側縁部に胴紐部４を設けたエプロン本体部５の下部５ｂと、を備え、エプロン本体部５の上部５ａには、帯状部材７がエプロン本体部５の上部５ａと重ね合わせることが可能なように帯状部材７の一方の端部７ａ側をエプロン本体部５の上部５ａの一方の側縁部側に固定し、帯状部材７とエプロン本体部５の上部５ａとを着脱可能に取り付けることが可能なように第一着脱具１０ｂをエプロン本体部５の上部５ａに設け、その第一着脱具１０ｂと着脱可能に取り付けることが可能なように、帯状部材７の他方の端部７ｂ側に設けられた第二着脱具１０ａを設けるエプロン１を提供する。【選択図】図１
0003114583.tif 000002
【実用新案登録請求の範囲】
【請求項１】
首掛け紐部を上方の両端部に設けたエプロン本体部の上部と、前記エプロン本体部の前記上部に連続し、両側縁部に胴紐部を設けたエプロン本体部の下部と、からなるエプロンにおいて、
前記エプロン本体部の前記上部には、前記エプロン本体部の前記上部と重ね合わせることが可能となるように一方の端部側が前記エプロン本体部の前記上部の一方の側縁部側に固定された帯状部材と、
前記帯状部材と前記エプロン本体部の前記上部とを着脱可能に取り付けることが可能となるように、前記エプロン本体部の前記上部に設けられた第一着脱具と、
前記第一着脱具と着脱可能に取り付けることが可能となるように、前記帯状部材の他方の端部側に設けられた第二着脱具と、を備えることを特徴とするエプロン。
【請求項２】
前記エプロン本体部の前記上部に設けられた前記第一着脱具の内、前記エプロン本体部の前記上部の中央に前記エプロン本体部の長手方向に沿って設けられた、前記第一着脱具に前記帯状部材の他方の前記端部側に設けられた前記第二着脱具を着脱可能に取り付けることで収納部を形成することを特徴とする請求項１に記載のエプロン。
【請求項３】
前記エプロン本体部の前記上部に設けられた前記第一着脱具の内、前記エプロン本体部の前記上部の他方の側縁部側に設けられた前記第一着脱具に、前記帯状部材の他方の前記端部側に設けられた前記第二着脱具を着脱可能に取り付けることで前記エプロン本体部の前記上部に前記帯状部材を重なり合わせられることを特徴とする請求項１又は２に記載のエプロン。
【考案の詳細な説明】
【技術分野】
【０００１】
本考案は、猫や犬など、愛玩する目的で飼う動物の手入れを行う際に使用するためのエプロンに関する。
【背景技術】
【０００２】
従来のポケット等の収納袋を備えたエプロンとしては図５に示す構成のものがある。図５に示すエプロン１０１では、収納袋の上端開口部１４０の一部周縁は、エプロン本体２００の前垂布２２０の中途部に固着している。具体的には、収納袋１００の背面部を形成しているネット材１２０の上端周縁部分を、前垂布２２０に糸等を用いて固着している。そして、収納袋１００を、前垂布２２０の前面に垂下している。
【０００３】
３００は、収納袋１００を収納して隠蔽する収納ポケットである。収納ポケット３００は、前垂布２２０と同一の布材３２０で形成している。収納ポケット３００は、ほぼ方形状をなす布材３２０の左右側縁からその下端側縁にかけての部分を糸等を用いて前垂布２２０に固着して形成している。布材３２０の上端側縁は、前垂布２２０に固着せずに、その布材３２０の上端側縁を前垂布２２０の前方に手で引いて、収納ポケット３００の上端を広く開口させることができるようにしている。
【０００４】
収納ポケット３００は、前垂布２２０に垂下した収容袋１００の裏側に位置する前垂布２２０の前面部分に備えている。収納ポケット３００の上端開口部３４０は、収容袋１００の上端開口部１４０の一部周縁を固着した前垂布２２０部分の直下に位置させている。収納ポケット３００は、その左右の幅を、収容袋１００の幅より一回り大きく形成している。そして、図６に示したように、収容袋１００を、収納ポケット３００の上端開口部３４０を通して、収納ポケット３００内に無理なく円滑に収納できるようにしている。そして、収容袋１００を、その上部を除いて、収納ポケット３００内に隠蔽できるようにしている。
【０００５】
また、収容袋１００の上部と収納ポケット３００の上部とを覆い隠す覆い布４００は横長帯状をしていて、収納ポケット３００に収容した収容袋１００の上部の前面と収納ポケット３００の上部の前面に亙って垂下できるようにしている。
【特許文献１】特開平９−１０５００８（段落００２３から段落００２６  図２、図４）
【考案の開示】
【考案が解決しようとする課題】
【０００６】
しかしながら、収納ポケット３００、収容袋１００では、洗濯物、タオル、財布及びハンカチ等の物品を収納することは可能であるが、その物品を一定の状態で保持することは難しい。つまり、収納ポケット３００、収容袋１００に物品を収納することだけで、収納ポケット３００、収容袋１００に収納された物品は収納ポケット３００、収容袋１００内で自由に動いたり、移動したりでき、収納された物品を一定の状態で固定する（保持する）ということが難しい。
【０００７】
このエプロン１０１を用いて、猫や犬など、愛玩する目的で飼う動物の体をシャンプー等で洗い、シャンプー等を洗い流した後に、乾かしながら毛並みを整えるという作業を行う場合、動物の体（毛）を乾かすためのドライヤー等の乾燥器を収納ポケット３００、収容袋１００で保持し、両手で櫛等により動物の毛並みを整えることになる。
【０００８】
しかしながら、収納ポケット３００、収容袋１００では、ドライヤー等の乾燥器を一定の状態、例えば、動物へドライヤー等の乾燥器を向けた状態に保持することが難しい。つまり、収納ポケット３００の上端開口部３４０、収容袋１００の上端開口部１４０の幅は広い。そして、ドライヤー等の乾燥器の取っ手部（柄の部分）を収納ポケット３００、収容袋１００に収納し、収納ポケット３００の上端開口部３４０、収容袋１００の上端開口部１４０からドライヤー等の乾燥器の顔（乾燥器の温風等を出す部分）を出して、動物の体（毛）を乾かそうとすることになる。
【０００９】
このとき、ドライヤー等の乾燥器は収納ポケット３００、収容袋１００に単に収納されているに過ぎず、人が両手で櫛等により動物の毛並みを整えようとして動くと、人の動きに伴い、人が付けているエプロン１０１も動き、収納ポケット３００、収容袋１００に収納されているドライヤー等の乾燥器も動くことになる。その結果、ドライヤー等の乾燥器からの温風等がうまく動物の体（毛）に当たらなくなる。
【００１０】
そのため、ドライヤー等の乾燥器からの温風等が動物の体（毛）に当たるようにドライヤー等の乾燥器の位置を直さなければならなくなる。つまり、人の手による、櫛等で動物の毛並みを整えようとする作業と、温風等が動物の体（毛）に当たるようにドライヤー等の乾燥器の位置を直す作業との両方を行わなければならず、動物の体を乾かし、毛並みを整えようとする作業効率の低下を招き易い。
【００１１】
本考案は、上記の事情に鑑みなされたものであり、収納部に物品を収納するだけではなく、収納された物品の位置を固定する（保持する）ことが可能となるエプロンを提供することを目的とする。
【課題を解決するための手段】
【００１２】
上記の目的を達成するために、請求項１に記載の考案は、首掛け紐部を上方の両端部に設けたエプロン本体部の上部と、前記エプロン本体部の前記上部に連続し、両側縁部に胴紐部を設けたエプロン本体部の下部と、からなるエプロンにおいて、前記エプロン本体部の前記上部には、前記エプロン本体部の前記上部と重ね合わせることが可能となるように一方の端部側が前記エプロン本体部の前記上部の一方の側縁部側に固定された帯状部材と、前記帯状部材と前記エプロン本体部の前記上部とを着脱可能に取り付けることが可能となるように、前記エプロン本体部の前記上部に設けられた第一着脱具と、前記第一着脱具と着脱可能に取り付けることが可能となるように、前記帯状部材の他方の端部側に設けられた第二着脱具と、を備えることを特徴とする。
【００１３】
従って、請求項１に記載の考案によれば、エプロン本体部の上部には、エプロン本体部の上部と重ね合わせることが可能なように帯状部材の一方の端部側がエプロン本体部の上部の一方の側縁部側に固定され、帯状部材の他方の端部側に設けられた第二着脱具を、エプロン本体部の上部の中央に設けられた第一着脱具に着脱可能に取り付けることで、収納部を形成したり、エプロン本体部の上部の他方の側縁部側に設けられた第一着脱具に着脱可能に取り付けることで、帯状部材をエプロン本体部の上部に重なり合わせたりすることを可能にする。
【００１４】
また、請求項２に記載の考案は、請求項１に記載の構成に加え、前記エプロン本体部の前記上部に設けられた前記第一着脱具の内、前記エプロン本体部の前記上部の中央に前記エプロン本体部の長手方向に沿って設けられた、前記第一着脱具に前記帯状部材の他方の前記端部側に設けられた前記第二着脱具を着脱可能に取り付けることで収納部を形成することを特徴とする。
【００１５】
従って、請求項２に記載の考案によれば、エプロン本体部の上部の中央にエプロン本体部の長手方向に沿って設けられた複数の第一着脱具に帯状部材の他方の端部側に設けられた第二着脱具を取り付けることで収納部を形成するので、エプロン本体部の上部全面を用いて収納部を形成せずに、帯状部材を狭めた状態（湾曲した状態）で収納部を形成するため、収納部に物品を単に収納するにとどまらず、帯状部材の狭めた状態（湾曲した状態）の部分に物品を収納することになるため、収納された物品の位置を固定し易くすることが可能になる。
【００１６】
さらに、請求項３に記載の考案は、請求項１又は２に記載の構成に加え、前記エプロン本体部の前記上部に設けられた前記第一着脱具の内、前記エプロン本体部の前記上部の他方の側縁部側に設けられた前記第一着脱具に、前記帯状部材の他方の前記端部側に設けられた前記第二着脱具を着脱可能に取り付けることで前記エプロン本体部の前記上部に前記帯状部材を重なり合わせられることを特徴とする。
【００１７】
従って、請求項３に記載の考案によれば、エプロン本体部の上部の他方の側縁部側に設けられた第一着脱具に、帯状部材の他方の端部側に設けられた第二着脱具を着脱可能に取り付けてエプロン本体部の上部に帯状部材を重なり合わせられるため、帯状部材の他方の端部側がエプロン本体部の上部から外れることなくなり、エプロンを付けた人の作業性の向上を図ることが可能になる。
【考案の効果】
【００１８】
本考案によれば、収納部であるポケット等は物品を収納するだけではなく、収納された物品の固定した状態（保持した状態）を実現できるため、エプロンを付けた人が動いても収納部内の物品は動き難くい。それ故、人が動きながら作業する、濡れた動物の体（毛）を毛並みを整えながら乾かす作業を行う場合において収納部に収納されたドライヤー等の乾燥器の位置を度々直しながら作業を行うことを減少させることができる。
【考案を実施するための最良の形態】
【００１９】
以下、本考案を実施するための最良の形態について図面を参照して説明する。
【００２０】
図１に本考案であるエプロン１が示されている。このエプロン１は、図１に示すように、首掛け紐部２、胴紐部４、エプロン本体部５及び収納部６より構成されている。エプロン本体部５は、図１に示すように、台形状の形状の上部５ａと、同じく台形状の形状の下部５ｂとから構成されている。エプロン本体部５の上部５ａは台形状の形状をなすとともに、両側縁部はくびれ部５ｃを形成している。そして、このくびれ部５ｃが終了した付近からエプロン本体部５の下部５ｂが形成されている。本例では、下部５ｂは上部５ａより広い面積となるようにしてある。
【００２１】
このエプロン１の上部５ａは、このエプロン１を使用する（付ける）人の胸部付近にくるように構成されており、下部５ｂは人の腹部付近にくるように構成されている。エプロン本体部５の上部５ａの上方の両端部には、図１に示すように、首掛け紐部２が取り付けられている（設けられている）。この首掛け紐部２はエプロン本体部５と一体にして設けることも可能であるが、本例においては、首掛け紐部２とエプロン本体部５とを別体とし、ビス等の固定部材により固定している。
【００２２】
具体的には、エプロン本体部５の上部５ａの上方の両端部と二本の首掛け紐部２の一方の端部が重なり合うように、エプロン本体部５の上部５ａの上方の両端部にそれぞれ二本の首掛け紐部２を配置し、ビス等の固定部材８によりエプロン本体部５の上部５ａの上方の両端部に二本の首掛け紐部２の一方の端部を固定している。エプロン本体部５の上部５ａの上方の両端部に固定された二本の首掛け紐部２は、このエプロン１を使用する人の首に掛けられるだけの十分な長さに設定されており、この二本の首掛け紐部２の他方の端部同士を結んで連結するか、連結具を用いて連結するかして閉じた状態にして、エプロン１を使用する人の首に掛けることになる。本例では、二本の首掛け紐部２の他方の端部同士を連結具３を用いて連結している。
【００２３】
その連結は、図１に示す連結具３を用いて、連結具３内にこの二本の首掛け紐部２を組み込むことにより行う。そして、この連結具３より二本の首掛け紐部２の他方の端部を引っ張ることで二本の首掛け紐部２により連結されて閉じた状態を大きくしたり、小さくしたりしてこのエプロン１を使用する人の使い易いように調整することが可能である。
【００２４】
このエプロン１のエプロン本体部５の上部５ａに連続するエプロン本体部５の下部５ｂの位置（両側縁部）に胴紐部４が取り付けられている（設けられている）。この胴紐部４はエプロン本体部５と一体にして設けることも可能であるが、本例においては、胴紐部４とエプロン本体部５とを別体とし、ビス等の固定部材８により固定している。具体的には、エプロン本体部５の上部５ａのくびれ部５ｃが終了した、エプロン本体部５の下部５ｂの両側縁部と二本の胴紐部４の一方の端部が重なり合うように、エプロン本体部５の下部５ｂの両側縁部に胴紐部４を配置し、ビス等の固定部材８によりエプロン本体部５の下部５ｂの両側縁部に二本の胴紐部４の一方の端部を固定している。
【００２５】
エプロン本体部５の下部５ｂの両側縁部に固定された二本の胴紐部４は、このエプロン１を使用する人の胴を巻くだけの十分な長さに設定されており、この二本の胴紐部４の他方の端部同士を結ぶことにより連結したり、二本の胴紐部４の他方の端部に面ファスナー等の固定部材を取り付けることで連結したりして人の胴に巻き付けることが可能である。本例では、二本の胴紐部４の他方の端部同士を結ぶことで人の胴に巻き付けることになる。
【００２６】
エプロン本体部５の上部５ａの中央部には収納部６を設けることになる。この収納部６は布製の帯状部材７を用いることで構成されている。帯状部材７は、エプロン本体部５の上部５ａと重ね合わせることが可能となるように、図２（ａ）に示すように、本例では、帯状部材７は、その一方の端部７ａを縫い付け位置９（点線）に沿ってエプロン本体部５の上部５ａの一方の側縁部（くびれ部）側に縫い付けて固定してある。縫い付ける代わりにビス等の固定部材により固定するということも可能である。また、帯状部材７の他方の端部７ｂのエプロン本体部５側（エプロン本体部５と重なり合う側）には、エプロン本体部５の長手方向に対応する（図１の矢印Ｅ方向に対応する）図２の矢印Ｃ方向に沿って二つのスナップ１０（押しホック凹（第二着脱具）１０ａ）が取り付けられている。
【００２７】
また、エプロン本体部５の上部５ａでは、エプロン本体部５の上部５ａの中央とエプロン本体部の上部５ａの他方の側縁部（くびれ部５ｃ）側とにスナップ１０（押しホック凸（第一着脱具）１０ｂ）が設けられている。具体的には、スナップ１０（押しホック凸（第一着脱具）１０ｂ）は、エプロン本体部５の上部５ａの中央のエプロン本体部５の長手方向（図１に示す矢印Ｅ方向）に沿って二つ取り付けられている（設けられている）。また、スナップ１０（押しホック凸（第一着脱具）１０ｂ）は、エプロン本体部５の上部５ａの側縁部（くびれ部５ｃ）側に一つ取り付けられている（設けられている）。これらエプロン本体部５の上部５ａに設けられたスナップ１０（押しホック凸（第一着脱具）１０ｂ）は、帯状部材７の他方の端部７ｂ側に設けられたスナップ１０（押しホック凹（第二着脱具）１０ａ）と着脱可能に取り付けることが可能である。
【００２８】
以上のような構成のエプロン本体部５ａにおける収納部６の構成について説明する。収納部６を形成する際には、図２（ａ）に示すように、エプロン本体部５の上部５ａの中央に取り付けられた二つのスナップ１０（押しホック凸（第一着脱具）１０ｂ）に帯状部材７の他方の端部７ｂに設けられた二つのスナップ１０（押しホック凹（第二着脱具）１０ａ）を留める（着脱可能に取り付ける）。このように着脱可能に取り付けることにより、帯状部材７は狭められた状態（湾曲した状態）で固定されることになり、図２（ｂ）に示すように、帯状部材７の中央はエプロン本体部５の上部５ａに接触せずに隆起した状態になる。
【００２９】
つまり、エプロン本体部５の上部５ａと帯状部材７との間に隙間１２が形成されることになり、収納部６が形成されることになる。収納部６では、収納部６の物品を収納する方向（図２（ａ）に示す矢印Ｃ方向）に沿う物品を収納することが可能になる。例えば、収納部６の物品を収納する方向（図２（ａ）に示す矢印Ｃ方向）に沿ってドライヤー等の乾燥器の取っ手部（柄の部分）を収納することが可能になる。
【００３０】
また、収納部６を形成しておく必要がない場合には、図３（ａ）に示すように、エプロン本体部５の上部５ａの他方の側縁部（くびれ部５ｃ）側に設けられたスナップ１０（押しホック凸（第一着脱具）１０ｂ）に帯状部材７の他方の端部７ｂに取り付けられたスナップ１０（押しホック凹（第二着脱具）１０ａ）を留める（着脱可能に取り付ける）ため、エプロン本体部５の上部５ａに帯状部材７を隙間がなくなるように重なり合わせられる（図３（ｂ）参照）。このとき、帯状部材７の他方の端部７ｂに取り付けられたスナップ１０（押しホック凹（第二着脱具）１０ａ）は二つあるが、エプロン本体部５の上部５ａに取り付けられたスナップ１０（押しホック凸（第一着脱具）１０ｂ）は一つしかない（図２（ａ）参照）。
【００３１】
そのため、図３（ｂ）に示すように、エプロン本体部５の上部５ａに取り付けられた一つのスナップ１０（押しホック凸（第一着脱具）１０ｂ）に帯状部材７の他方の端部７ｂに取り付けられたスナップ１０（押しホック凹（第二着脱具）１０ａ）を留めることになる。このように、エプロン本体部５の上部５ａに取り付けられた一つのスナップ１０（押しホック凸（第一着脱具）１０ｂ）のみで帯状部材７を固定するだけでも、帯状部材７はエプロン本体部５の上部５ａに固定されているために、エプロン１を付けた人の作業を帯状部材７の他方の端部７ｂが妨げることはない。
【００３２】
つぎに、本考案であるエプロン１を使用方法について説明する。エプロン１を使用する人は、連結して閉じた状態にしてある首掛け紐部２を首に掛ける。つぎに、二本の胴紐部４の他方の端部同士を結んで胴に巻き付ける。
【００３３】
そして、図２（ａ）に示すように、帯状部材７の他方の端部７ｂに取り付けられた二つのスナップ（押しホック（第二着脱具）凹１０ａ）をエプロン本体部５の上部５ａに取り付けられた二つのスナップ（押しホック凸（第一着脱具）１０ｂ）に留める。そうすると、エプロン本体部５の上部５ａと帯状部材７との間に隙間１２が形成されることになり、収納部６が形成される。収納部６に、図４に示すように、収納部６の物品を収納する方向（図２（ａ）に示す矢印Ｃ方向）に沿ってドライヤー１１の取っ手部（柄の部分）１１ｃを収納する。このとき、帯状部材７を狭めた状態で収納部６を形成するため、収納部６にドライヤー１１の取っ手部（柄の部分）１１ｃを単に収納するだけではなく、ドライヤー１１の取っ手部（柄の部分）１１ｃの位置を固定する（保持する）ことが可能になる。
【００３４】
ドライヤー１１の取っ手部（柄の部分）１１ｃからのコード１１ｂは、図示しないコンセントに接続されている。ドライヤー１１の図示しないスイッチを入れることでドライヤー本体部１１ａから温風が矢印Ｄ方向へ出る。このとき、猫や犬等の愛玩を目的とする動物にドライヤー本体部１１ａからの温風が当たる高さの机や台に猫や犬等の愛玩を目的とする動物を載せておく。本例では、犬２０を台２２に載せている。
【００３５】
そして、図示しない両手でこの犬２０を押さえ毛並みを整えるために櫛を通す等の作業を行いながら、ドライヤー本体部１１ａからの温風により犬２０の体（毛）を乾かすことが可能になる。つまり、収納部６でドライヤー本体部１１ａの位置を固定する（保持する）ことができるため、犬２０の毛を乾かしながら犬２０を押さえて毛並みを整えるために櫛を通す等の作業中にドライヤー本体部１１ａを犬２０の体の方に向かせるようにドライヤー本体部１１ａの位置を度々直す必要がなくなり作業の効率化を図れる。
【００３６】
なお、本例では、ドライヤー本体部１１ａより温風が出る場合について示したが、温風以外の風を動物に当てる場合も収納部６でドライヤー１１の取っ手部（柄の部分）１１ｃを固定する（保持する）ことで同様に行うことができる。
【００３７】
さらに、本例では、スナップ１０（押しホック凸（第一着脱具）１０ｂ）は、エプロン本体部５の上部５ａの中央のエプロン本体部５の長手方向（図１に示す矢印Ｅ方向）に沿って二つ取り付けられている（設けられている）が、スナップ１０（押しホック凸（第一着脱具）１０ｂ）をエプロン本体部５の上部５ａの中央からエプロン本体部５の上部５ａのいずれかの側縁部（くびれ部５ｃ）側よりに取り付けて（設けて）もよい。これは、収納部６へ収納する物品であるドライヤー１１の大きさにより決定されることである。
【００３８】
また、本例で用いたエプロン１は布製のものであるが、特に布製に限定されることなく、他の材料（材質）のものを用いることも可能である。
【図面の簡単な説明】
【００３９】
【図１】本考案であるエプロンの全体図である。
【図２】本考案であるエプロンの帯状部材の構成を示す説明図である。（ａ）は、エプロンの収納部を正面から示す説明図である。（ｂ）は、図２（ａ）のＡ−Ａ線に沿う断面図である。
【図３】本考案であるエプロンの帯状部材の構成を示す説明図である。（ａ）は、エプロン本体部の上部に帯状部材を重なり合わせた状態を示す説明図である。（ｂ）は、図３（ａ）のＢ−Ｂ線に沿う断面図である。
【図４】本考案であるエプロンの使用状態を示す説明図である。
【図５】従来の収納袋を備えるエプロンの正面図である。
【図６】図５に示す従来の収納袋を備えるエプロン側面断面図である。
【符号の説明】
【００４０】
１…エプロン、２…首掛け紐部、３…連結具、４…胴紐部、５…エプロン本体部、５ａ…エプロン本体部の上部、５ｂ…エプロン本体部の下部、６…収納部、７…帯状部材、１０…スナップ、１０ａ…押しホック凹（第二着脱具）、１０ｂ…押しホック凸（第一着脱具）、１１…ドライヤー
【図１】
0003114583.tif 000003
【図２】
0003114583.tif 000004
【図３】
0003114583.tif 000005
【図４】
0003114583.tif 000006
【図５】
0003114583.tif 000007
【図６】
0003114583.tif 000008